(57)【要約】      （修正有）【課題】センサ機能を有し、各種環境データを取得し、各種電気機器の使用状況を表示する環境状態検出装置を提供する。【解決手段】環境ブロックユニットで構成する環境モデルと、環境モデル中に装設し、環境モデルがある位置の環境状態情報を取得する環境状態検知ユニットと、環境状態情報及びリアリティ検知情報を表示する表示ユニットと、環境状態情報に基づいて環境制御信号を生成し、対応する環境装置に対し対応する制御を実行する環境制御ユニットと、環境モデルが対応するリアリティ環境中に装設し、リアリティ環境中のリアリティ検知情報を検知するための検知器、及び環境制御信号に基づいて対応するリアリティ装置に対し対応する制御を実行するリアリティコントロールモジュールを含むリアリティセンシングモジュールと、を備える。【選択図】図１
0003230284.tif 000002
【実用新案登録請求の範囲】
【請求項１】
少なくとも１つの環境ブロックユニットで構成する環境モデルと、
前記環境モデル中に設置し、前記環境モデルがある位置の環境状態情報を取得するための環境状態検知ユニットと、
前記環境モデル中に設置し、前記環境状態情報及びリアリティ検知情報を表示するための表示ユニットと、
前記環境モデル中に設置し、前記環境状態情報に基づいて環境制御信号を生成し、対応する少なくとも１つの環境装置に対し対応する制御を実行する環境制御ユニットと、
前記環境モデルが対応するリアリティ環境中に設置し、前記環境制御ユニットに電気的に接続し、前記リアリティ環境中の前記リアリティ検知情報を検知するための少なくとも１つの検知器を含むリアリティセンシングモジュールと、
前記環境モデルが対応する少なくとも１つのリアリティ装置に設置し、前記環境制御ユニットに電気的に接続し、前記環境制御信号に基づいて対応する前記少なくとも１つのリアリティ装置に対し対応する制御を実行するリアリティコントロールモジュールと、を備えていることを特徴とする、
環境状態検出装置。
【請求項２】
前記環境ブロックユニットは分割することで少なくともベッドルームブロック、リビングルームブロック、及びキッチンブロックを形成することを特徴とする請求項１に記載の環境状態検出装置。
【請求項３】
前記環境状態検知ユニットは、加速計、磁力計、湿度計、温度計、微小浮遊粒子状物質濃度センサー、浮遊粒子状物質吸収可能濃度センサー、ガス分子濃度センサー、騒音計、または電磁波強度センサー、のいずれかを少なくとも備えていることを特徴とする請求項１に記載の環境状態検出装置。
【請求項４】
前記表示ユニットはシステム設定またはユーザー設定に基づいて前記環境状態情報、前記リアリティ検知情報、或いは両者の組み合わせを表示することを特徴とする請求項１に記載の環境状態検出装置。
【請求項５】
前記環境制御ユニット中には、ランプ制御モジュールと、排気ファン制御モジュールと、ガス弁制御モジュールと、空調制御モジュールと、ドアと窓制御モジュールと、を少なくとも備え、対応する少なくとも１つの環境装置に対し対応する制御を実行することを特徴とする請求項１に記載の環境状態検出装置。
【請求項６】
前記リアリティ装置は自動空調を備え、前記環境制御ユニット及び前記リアリティコントロールモジュールは電気的に接続し、前記リアリティセンシングモジュールは温度を検知して温度データを生成し、前記環境制御信号に基づいて前記自動空調の起動を制御し、温度調節を行うことを特徴とする請求項１に記載の環境状態検出装置。
【請求項７】
前記リアリティ装置は自動ランプを備え、前記環境制御ユニット及び前記リアリティコントロールモジュールは電気的に接続し、前記リアリティセンシングモジュールは室内の輝度を検知して輝度データを生成し、前記環境制御信号に基づいて前記自動ランプの起動を制御し、輝度調節を行うことを特徴とする請求項１に記載の環境状態検出装置。
【請求項８】
前記リアリティセンシングモジュール中には、加速計、磁力計、湿度計、温度計、微小浮遊粒子状物質濃度センサー、浮遊粒子状物質吸収可能濃度センサー、ガス分子濃度センサー、騒音計、または電磁波強度センサーの、いずれかを少なくとも備えていることを特徴とする請求項１に記載の環境状態検出装置。
【請求項９】
前記リアリティコントロールモジュールは通信モジュールを介して前記環境制御ユニットに電気的に接続し、前記通信モジュールは、イーサネット（登録商標）モジュール、電線通信モジュール、ブルートゥース（登録商標）モジュール、低消費電力ブルートゥースモジュール、またはワイヤレスネットワークモジュールを備えていることを特徴とする請求項１に記載の環境状態検出装置。
【請求項１０】
環境状態検出装置と、
前記環境状態検出装置に電気的に接続し、自動空調と、自動ランプと、自動カーテンと、自動排気ファンと、を含む少なくとも１つのリアリティ装置と、を備え、
前記環境状態検出装置は、
少なくとも１つの環境ブロックユニットで構成する環境モデルと、
前記環境モデル中に装設し、前記環境モデルがある位置の環境状態情報を取得するための環境状態検知ユニットと、
前記環境モデル中に装設し、前記環境状態情報及びリアリティ検知情報を表示するための表示ユニットと、
前記環境モデル中に装設し、前記環境状態情報に基づいて環境制御信号を生成し、対応する少なくとも１つの環境装置に対し対応する制御を実行する環境制御ユニットと、
前記環境モデルが対応するリアリティ環境中に装設し、前記環境制御ユニットに電気的に接続し、前記リアリティ環境中の前記リアリティ検知情報を検知するための少なくとも１つの検知器を含むリアリティセンシングモジュールと、
前記環境モデルが対応する少なくとも１つのリアリティ装置に装設し、前記環境制御ユニットに電気的に接続し、前記環境制御信号に基づいて対応する前記少なくとも１つのリアリティ装置に対し対応する制御を実行するリアリティコントロールモジュールと、を更に備えていることを特徴とする、
環境状態偵測システム。  
【考案の詳細な説明】
【技術分野】
【０００１】
本考案は、環境状態検出装置及びシステムに関し、より詳しくは、環境制御装置に対応するように制御する環境状態検出装置及びシステムに関する。
【背景技術】
【０００２】
現在、ユーザーは計算装置を使用して家電設備及び機械設備が検知した環境検知信号を獲得し、且つこれに基づいて計算装置により家電設備及び機械設備を手動制御している。
【考案の概要】
【考案が解決しようとする課題】
【０００３】
しかしながら、前述した従来の技術では、環境内の各環境パラメータを自動調整する場合、異なる各種の環境検知信号を受信し、これに基づいて異なる家電設備や機械設備に対して制御を行うための環境制御装置が必要であった。
【０００４】
そこで、本考案者は上記の欠点が改善可能と考え、鋭意検討を重ねた結果、合理的設計で上記の課題を効果的に改善する本考案の提案に至った。
【０００５】
本考案は、このような従来の問題に鑑みてなされたものである。上記課題解決のため、本考案は、環境状態検出装置とシステムを提供することを主目的とする。換言すれば、本考案の環境状態検出装置とシステムはセンサー機能を有し、装置がある位置の各種環境データを即時取得する。部屋内に複数のセンサーを装設し、各位置の環境データを同期で表示し、且つ前記環境状態検出装置により屋内の各種電子機器の使用状況を表示する。
【課題を解決するための手段】
【０００６】
上記課題を解決するために、本考案のある態様の環境状態検出装置は、少なくとも１つの環境ブロックユニットで構成する環境モデルと、前記環境モデル中に装設し、前記環境モデルがある位置の環境状態情報を取得するための環境状態検知ユニットと、前記環境モデル中に装設し、前記環境状態情報及びリアリティ検知情報を表示するための表示ユニットと、前記環境モデル中に装設し、前記環境状態情報に基づいて環境制御信号を生成し、対応する少なくとも１つの環境装置に対し対応する制御を実行する環境制御ユニットと、前記環境モデルが対応するリアリティ環境中に装設し、前記環境制御ユニットに電気的に接続し、前記リアリティ環境中の前記リアリティ検知情報を検知するための少なくとも１つの検知器を含むリアリティセンシングモジュールと、前記環境モデルが対応する少なくとも１つのリアリティ装置に装設し、前記環境制御ユニットに電気的に接続し、前記環境制御信号に基づいて対応する前記少なくとも１つのリアリティ装置に対し対応する制御を実行するリアリティコントロールモジュールと、を備えている。
【０００７】
また、本考案に係る環境状態検出装置において、上述の環境ブロックユニットは少なくとも分割することでベッドルームブロック、リビングルームブロック、及びキッチンブロックを形成することを特徴とする。
【０００８】
また、本考案に係る環境状態検出装置において、上述の環境状態検知ユニットは、加速計、磁力計、湿度計、温度計、微小浮遊粒子状物質濃度センサー、浮遊粒子状物質吸収可能濃度センサー、ガス分子濃度センサー、騒音計、または電磁波強度センサーを少なくとも備えていることを特徴とする。
【０００９】
また、本考案に係る環境状態検出装置において、上述の表示ユニットはシステム設定またはユーザー設定に基づいて前記環境状態情報、前記リアリティ検知情報、或いは両者の組み合わせを表示することを特徴とする。
【００１０】
また、本考案に係る環境状態検出装置において、上述の環境制御ユニット中には、ランプ制御モジュールと、排気ファン制御モジュールと、ガス弁制御モジュールと、空調制御モジュールと、ドアと窓制御モジュールと、を少なくとも備えていることを特徴とする。
【００１１】
また、本考案に係る環境状態検出装置において、上述のリアリティ装置は自動空調を備え、前記環境制御ユニット及び前記リアリティコントロールモジュールは電気的に接続し、前記リアリティセンシングモジュールは温度を検知して温度データを生成し、前記環境制御信号に基づいて前記自動空調の起動を制御し、温度調節を行うことを特徴とする。
【００１２】
また、本考案に係る環境状態検出装置において、上述のリアリティ装置は自動ランプを備え、前記環境制御ユニット及び前記リアリティコントロールモジュールは電気的に接続し、前記リアリティセンシングモジュールは室内の輝度を検知して輝度データを生成し、前記環境制御信号に基づいて前記自動ランプの起動を制御し、輝度調節を行うことを特徴とする。
【００１３】
また、本考案に係る環境状態検出装置において、上述のリアリティセンシングモジュール中には、加速計、磁力計、湿度計、温度計、微小浮遊粒子状物質濃度センサー、浮遊粒子状物質吸収可能濃度センサー、ガス分子濃度センサー、騒音計、または電磁波強度センサーを少なくとも備えていることを特徴とする。
【００１４】
また、本考案に係る環境状態検出装置において、上述のリアリティコントロールモジュールは通信モジュールを介して前記環境制御ユニットに電気的に接続し、前記通信モジュールは、イーサネット（登録商標）モジュール、電線通信モジュール、ブルートゥース（登録商標）モジュール、低消費電力ブルートゥースモジュール、またはワイヤレスネットワークモジュールを備えていることを特徴とする。
【００１５】
なお、本考案の別の態様は、環境状態検出システムである。このシステムは、環境状態検出装置と、前記環境状態検出装置に電気的に接続し、自動空調と、自動ランプと、自動カーテンと、自動排気ファンと、を含む少なくとも１つのリアリティ装置と、を備え、前記環境状態検出装置は、少なくとも１つの環境ブロックユニットで構成する環境モデルと、前記環境モデル中に装設し、前記環境モデルがある位置の環境状態情報を取得するための環境状態検知ユニットと、前記環境モデル中に装設し、前記環境状態情報及びリアリティ検知情報を表示するための表示ユニットと、前記環境モデル中に装設し、前記環境状態情報に基づいて環境制御信号を生成し、対応する少なくとも１つの環境装置に対し対応する制御を実行する環境制御ユニットと、前記環境モデルが対応するリアリティ環境中に装設し、前記環境制御ユニットに電気的に接続し、前記リアリティ環境中の前記リアリティ検知情報を検知するための少なくとも１つの検知器を含むリアリティセンシングモジュールと、前記環境モデルが対応する少なくとも１つのリアリティ装置に装設し、前記環境制御ユニットに電気的に接続し、前記環境制御信号に基づいて対応する前記少なくとも１つのリアリティ装置に対し対応する制御を実行するリアリティコントロールモジュールと、を更に備えている。
【００１６】
また、本考案に係る環境状態検出システムにおいて、上述の環境ブロックユニットは少なくとも分割することでベッドルームブロック、リビングルームブロック、及びキッチンブロックを形成することを特徴とする。
【００１７】
また、本考案に係る環境状態検出システムにおいて、上述の環境状態検知ユニットは、加速計、磁力計、湿度計、温度計、微小浮遊粒子状物質濃度センサー、浮遊粒子状物質吸収可能濃度センサー、ガス分子濃度センサー、騒音計、または電磁波強度センサーを少なくとも備えていることを特徴とする。
【００１８】
また、本考案に係る環境状態検出システムにおいて、上述の表示ユニットはシステム設定またはユーザー設定に基づいて前記環境状態情報、前記リアリティ検知情報、或いは両者の組み合わせを表示することを特徴とする。
【００１９】
また、本考案に係る環境状態検出システムにおいて、上述の環境制御ユニット中には、ランプ制御モジュールと、排気ファン制御モジュールと、ガス弁制御モジュールと、空調制御モジュールと、ドアと窓制御モジュールと、を少なくとも備えていることを特徴とする。
【００２０】
また、本考案に係る環境状態検出システムにおいて、上述のリアリティ装置は自動空調を備え、前記環境制御ユニット及び前記リアリティコントロールモジュールは電気的に接続し、前記リアリティセンシングモジュールは温度を検知して温度データを生成し、前記環境制御信号に基づいて前記自動空調の起動を制御し、温度調節を行うことを特徴とする。
【００２１】
また、本考案に係る環境状態検出システムにおいて、上述のリアリティ装置は自動ランプを備え、前記環境制御ユニット及び前記リアリティコントロールモジュールは電気的に接続し、前記リアリティセンシングモジュールは室内の輝度を検知して輝度データを生成し、前記環境制御信号に基づいて前記自動ランプの起動を制御し、輝度調節を行うことを特徴とする。
【００２２】
また、本考案に係る環境状態検出システムにおいて、上述のリアリティセンシングモジュール中には、加速計、磁力計、湿度計、温度計、微小浮遊粒子状物質濃度センサー、浮遊粒子状物質吸収可能濃度センサー、ガス分子濃度センサー、騒音計、または電磁波強度センサーを少なくとも備えていることを特徴とする。
【００２３】
また、本考案に係る環境状態検出システムにおいて、上述のリアリティコントロールモジュールは通信モジュールを介して前記環境制御ユニットに電気的に接続し、前記通信モジュールは、イーサネットモジュール、電線通信モジュール、ブルートゥースモジュール、低消費電力ブルートゥースモジュール、またはワイヤレスネットワークモジュールを備えていることを特徴とする。
【考案の効果】
【００２４】
本願は環境状態検出装置及びシステム構造を採用し、環境制御信号に基づいて通信接続するリアリティ装置に対する制御を行い、環境の環境パラメータを調整し、ユーザーが被制御装置に対して手動で制御を行わねばならないという不便さを解決する目的を達成する。さらに、本環境状態検出装置により各種環境パラメータを直接取得する。
【００２５】
本明細書及び図面の記載により、少なくとも、以下の事項が明らかとなる。
【図面の簡単な説明】
【００２６】
【図１】本考案の一実施例に係る環境状態検出装置を示したブロック図である。
【図２】本考案の一実施例に係る環境状態検出システムを示した概略図である。
【図３】本考案の一実施例に係る環境状態検出装置を示した概略図である。
【考案を実施するための形態】
【００２７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００２８】
図１は本考案の一実施例に係る環境状態検出装置を示したブロック図である。
図１に示されるように、環境状態検出装置は、少なくとも１つの環境ブロックユニットで構成する環境モデル１１０と、前記環境モデル１１０中に装設し、前記環境モデル１１０がある位置の環境状態情報を取得するための環境状態検知ユニット１２０と、前記環境モデル１１０中に装設し、前記環境状態情報及びリアリティ検知情報を表示するための表示ユニット１４０と、前記環境モデル１１０中に装設し、前記環境状態情報に基づいて環境制御信号を生成し、対応する少なくとも１つの環境装置に対し対応する制御を実行する環境制御ユニット１３０と、前記環境モデル１１０が対応するリアリティ環境中に装設し、前記環境制御ユニット１３０に電気的に接続し、前記リアリティ環境中の前記リアリティ検知情報を検知するための少なくとも１つのセンサーを含むリアリティセンシングモジュール１５０と、前記環境モデルが対応する少なくとも１つのリアリティ装置に装設し、前記環境制御ユニット１３０に電気的に接続し、前記環境制御信号に基づいて対応する前記少なくとも１つのリアリティ装置に対し対応する制御を実行するリアリティコントロールモジュール１６０と、を備えている。
【００２９】
本実施例では、前記環境ブロックユニットは少なくとも分割することでベッドルームブロック、リビングルームブロック、及びキッチンブロックを形成する。
【００３０】
本実施例では、前記環境状態検知ユニットは、加速計、磁力計、湿度計、温度計、微小浮遊粒子状物質濃度センサー、浮遊粒子状物質吸収可能濃度センサー、ガス分子濃度センサー、騒音計、または電磁波強度センサーを少なくとも備えている。
【００３１】
本実施例では、前記表示ユニットはシステム設定またはユーザー設定に基づいて前記環境状態情報、前記リアリティ検知情報、或いは両者の組み合わせを表示する。
【００３２】
本実施例では、前記環境制御ユニット中には、ランプ制御モジュールと、排気ファン制御モジュールと、ガス弁制御モジュールと、空調制御モジュールと、ドアと窓制御モジュールと、を少なくとも備えている。
【００３３】
本実施例では、前記リアリティ装置は自動空調を備え、前記環境制御ユニット及び前記リアリティコントロールモジュールは電気的に接続し、前記リアリティセンシングモジュールは温度を検知して温度データを生成し、前記環境制御信号に基づいて前記自動空調の起動を制御し、温度調節を行う。
【００３４】
本実施例では、前記リアリティ装置は自動ランプを備え、前記環境制御ユニット及び前記リアリティコントロールモジュールは電気的に接続し、前記リアリティセンシングモジュールは室内の輝度を検知して輝度データを生成し、前記環境制御信号に基づいて前記自動ランプの起動を制御し、輝度調節を行う。
【００３５】
本実施例では、前記リアリティセンシングモジュール中には、加速計、磁力計、湿度計、温度計、微小浮遊粒子状物質濃度センサー、浮遊粒子状物質吸収可能濃度センサー、ガス分子濃度センサー、騒音計、または電磁波強度センサーを少なくとも備えている。
【００３６】
本実施例では、前記リアリティコントロールモジュールは通信モジュールを介して前記環境制御ユニットに電気的に接続し、前記通信モジュールは、イーサネットモジュール、電線通信モジュール、ブルートゥースモジュール、低消費電力ブルートゥースモジュール、またはワイヤレスネットワークモジュールを備えている。
【００３７】
図２は本考案の一実施例に係る環境状態検出システムを示した概略図である。図２の記載を参照する。環境状態偵測システムは、環境状態検出装置２１０と、環境状態検出装置２１０に電気的に接続し、自動空調と、自動ランプと、自動カーテンと、自動排気ファンと、を含む少なくとも１つのリアリティ装置２２０と、を備えている。
【００３８】
本実施例では、前記リアリティ装置は自動空調を備え、前記環境制御ユニット及び前記リアリティコントロールモジュールは電気的に接続し、前記リアリティセンシングモジュールは温度を検知して温度データを生成し、前記環境制御信号に基づいて前記自動空調の起動を制御し、温度調節を行う。
【００３９】
本実施例では、前記リアリティ装置は自動ランプを備え、前記環境制御ユニット及び前記リアリティコントロールモジュールは電気的に接続し、前記リアリティセンシングモジュールは室内の輝度を検知して輝度データを生成し、前記環境制御信号に基づいて前記自動ランプの起動を制御し、輝度調節を行う。
【００４０】
本実施例では、前記リアリティ装置は自動カーテンを備え、前記環境制御ユニット及び前記リアリティコントロールモジュールは電気的に接続、前記リアリティセンシングモジュールは室内の輝度を検知して輝度データを生成し、前記環境制御信号に基づいて前記自動カーテンの起動を制御し、輝度調節を行う。
【００４１】
本実施例では、前記リアリティ装置は自動排気ファンを備え、前記環境制御ユニット及び前記リアリティコントロールモジュールは電気的に接続し、前記リアリティセンシングモジュールはガス分子濃度を検知して空気品質データを生成し、前記環境制御信号に基づいて前記自動排気ファンの起動を制御し、空気品質調節を行う。
【００４２】
図３は本考案の一実施例に係る環境状態検出装置を示した概略図である。図３に示されるように、環境状態検出装置２１０は、環境状態情報を取得するための環境状態検知ユニット１２０と、前記環境状態情報及びリアリティ検知情報を表示するための表示ユニット１４０と、前記環境状態情報に基づいて環境制御信号を生成し、対応する少なくとも１つの環境装置に対し対応する制御を実行する環境制御ユニット１３０と、前記リアリティ環境中の前記リアリティ検知情報を検知するための少なくとも１つのセンサーを含むリアリティセンシングモジュール１５０と、前記環境制御信号に基づいて対応する前記少なくとも１つのリアリティ装置に対し対応する制御を実行するリアリティコントロールモジュール１６０と、を備えている。
【００４３】
以上を総合すると、本願は環境状態検出装置及びシステム構造を採用し、環境制御信号に基づいて通信接続するリアリティ装置進行に対する制御を行い、環境の環境パラメータを調整し、ユーザーが被制御装置を手動で制御しなければならない不便さを解決する目的を達成する。さらに、本環境状態検出装置により各種環境パラメータを直接取得する。
【００４４】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００４５】
１１０  環境モデル
１２０  環境状態検知ユニット
１３０  環境制御ユニット
１４０  表示ユニット
１５０  リアリティセンシングモジュール
１６０  リアリティコントロールモジュール
２１０  環境状態検出装置
２２０  リアリティ装置
【図１】
0003230284.tif 000003
【図２】
0003230284.tif 000004
【図３】
0003230284.tif 000005